(57)【特許請求の範囲】
【請求項１】
商品を販売する自動販売機（１）において、
ＩＣを含む媒体を非接触で近接させることにより前記媒体と交信する複数のアンテナ（３ａ〜３ｆ）を有し、前記複数のアンテナのそれぞれに、「開始」の押しボタン表示、「確認」の押しボタン表示、「取消」の押しボタン表示、複数の「商品」の押しボタン表示を対応付けると共に、
前記媒体が、「開始」の押しボタン表示、いずれかの「商品」の押しボタン表示、「確認」又は「取消」の押しボタン表示の順序で順次に近接され、かつ前記媒体からの送信信号を受信したアンテナの位置に基づいて、「開始」の押しボタン表示への前記媒体の近接で自動販売機が商品選択動作可能状態になり、「商品」の押しボタン表示への前記媒体の近接で商品が選択され、「確認」又は「取消」の押しボタン表示への前記媒体の近接で商品が販売されまたは商品販売が取り消されるという入力処理を行なう手段（７）を有する、
ことを特徴とする自動販売機。
【請求項２】
商品を販売する自動販売機（１）において、
ＩＣを含む媒体を非接触で近接させることにより前記媒体と交信する複数のアンテナ（３ａ〜３ｆ）を有し、前記複数のアンテナのそれぞれに、「開始」の押しボタン表示、複数の「商品」の押しボタン表示を対応付けると共に、
前記媒体が、「開始」の押しボタン表示、いずれかの「商品」の押しボタン表示の順序で順次に近接され、かつ前記媒体からの送信信号を受信したアンテナの位置に基づいて、「開始」の押しボタン表示への前記媒体の近接で自動販売機が商品販売動作可能状態になり、「商品」の押しボタン表示への前記媒体の近接で商品が選択されるという入力処理を行なう手段（７）を有し、
さらに前記手段（７）は、媒体と「商品」に対応するアンテナとの間の交信が予め定めた一定時間（ｔｍ）以上継続することにより確認入力とする、
ことを特徴とする自動販売機。
【請求項３】
各アンテナ（３ａ〜３ｆ）は、入力操作を実現する押しボタン（２Ａ〜２Ｆ）の内部又は近傍に配設され、
媒体と各アンテナ（３ａ〜３ｆ）との間の交信により、押しボタン（２Ａ〜２Ｆ）を押す操作と同等の入力操作を可能としたことを特徴とする請求項１又は２記載の自動販売機。
【請求項４】
入力操作を実現する押しボタン（２Ａ〜２Ｆ）の表示を行なう表示器（２）を備え、
複数のアンテナ（３ａ〜３ｆ）は、表示器（２）の表示画面（２Ｚ）上に配設され、
媒体と各アンテナ（３ａ〜３ｆ）との間の交信により、押しボタン（２Ａ〜２Ｆ）を押す操作と同等の入力操作を可能としたことを特徴とする請求項１又は２記載の自動販売機。
【請求項５】
入力操作を実現する押しボタン（２Ａ〜２Ｆ）の表示を行なう表示器（２０）を備え、
複数のアンテナ（５ａ〜５ｈ）は、表示器（２０）の表示画面（２０Ｚ）の周囲に配設され、
各アンテナ（５ａ〜５ｈ）の受信信号の検出レベルに基づいて、媒体保持者が入力操作を所望する押しボタンを検出するようにしたことを特徴とする請求項１又は２記載の自動販売機。
【発明の詳細な説明】
【０００１】
【発明の属する技術分野】
本発明は、非接触型のＩＣカード等の媒体により入力操作を可能として商品を販売する自動販売機に関する。
【０００２】
【従来の技術】
従来の券売機等の自動販売機では、ＩＣカード又は磁気カード等の媒体は、専ら支払いのためだけに使われている。
【０００３】
カード等の媒体の利用可能な従来の自動販売機では、先ず媒体を自動販売機のカード用スロットに投入し、操作者が一連の入力操作を行なった後、最後に商品と共に媒体が返却される。
【０００４】
これは、媒体が専ら支払いのために使われているため、自動販売機における現金投入の手順をなぞらえているものと考えられる。
現金投入型とカード投入型の自動販売機の操作手順はほぼ次のようになる。
・現 金 投入型：現 金 投入→ 商品選択 → 商品排出，釣り銭の受取り
・カード投入型：カード投入→ 商品選択 → 商品排出，カードの受取り
このような従来の自動販売機では、その操作手順から、利用者は媒体を一旦手離すことになる。
【０００５】
一方、非接触型のカード媒体を使用可能な自動販売機でも、商品の選択は依然として押しボタンにより行われている。
操作手順としては、先ずカード媒体を投入したり載置台に置くなどして、利用者は媒体を一旦手離すことになる。
非接触カード利用型の自動販売機の操作手順はほぼ次のようになる。
・非接触カード利用型：非接触カード投入（又は載置台に載置） → 商品選択  → 商品排出，カードの受取り
【０００６】
【発明が解決しようとする課題】
利用者がカード媒体を一旦手離す従来の自動販売機では、以下の問題がある。
▲１▼：カード媒体の投入と受取りについて、その動作に手間がかかる。
▲２▼：利用者がカード媒体を取り忘れるおそれがある。
▲３▼：非接触カードを載置台に置く場合では、自動販売機の操作中に悪意者によりカード媒体を奪い去られるおそれがある。
【０００７】
一方、非接触カードを手に持って押しボタンを押して操作する場合は、カード媒体を持つ手では押しボタンが押し難く、操作性に難点があると共に、カード媒体を誤って落下させ破損するおそれがある。
【０００８】
【課題を解決するための手段】
請求項１の自動販売機では、商品を販売する自動販売機において、ＩＣを含む媒体を非接触で近接させることにより媒体と交信する複数のアンテナを有し、複数のアンテナのそれぞれに、「開始」の押しボタン表示、「確認」の押しボタン表示、「取消」の押しボタン表示、複数の「商品」の押しボタン表示を対応付けると共に、媒体が、「開始」の押しボタン表示、いずれかの「商品」の押しボタン表示、「確認」又は「取消」の押しボタン表示の順序で順次に近接され、かつ媒体からの送信信号を受信したアンテナの位置に基づいて、「開始」の押しボタン表示への媒体の近接で自動販売機が商品販売動作可能状態になり、「商品」の押しボタン表示への媒体の近接で商品が選択され、「確認」又は「取消」の押しボタン表示への媒体の近接で商品が販売されまたは商品販売が取り消されるという入力処理を行なう手段を有することを特徴とする。
【０００９】
上記手段を備えることで、利用者はＩＣカード等の媒体を手離すことなく、自動販売機の商品選択等の入力操作を行なうことができる。
従って、媒体を媒体用スロットに投入する手間が省けて操作性を向上することができると共に、操作時間を短縮することができる。
【００１０】
請求項２記載の自動販売機では、商品を販売する自動販売機において、ＩＣを含む媒体を非接触で近接させることにより媒体と交信する複数のアンテナを有し、複数のアンテナのそれぞれに、「開始」の押しボタン表示、複数の「商品」の押しボタン表示を対応付けると共に、媒体が、「開始」の押しボタン表示、いずれかの「商品」の押しボタン表示の順序で順次に近接され、かつ媒体からの送信信号を受信したアンテナの位置に基づいて、「開始」の押しボタン表示への媒体の近接で自動販売機が商品販売動作可能状態になり、「商品」の押しボタン表示への媒体の近接で商品が選択されるという入力処理を行なう手段を有し、さらに前記手段は、媒体と「商品」に対応するアンテナとの間の交信が予め定めた一定時間（ｔｍ）以上継続することにより確認入力とすることを特徴とする。
【００１１】
上記手段を備えることで、確認入力の操作を別個に行なう手間が省けて操作性を向上することができる。
【００１２】
請求項３では、請求項１又は２記載の自動販売機において、各アンテナは、入力操作を実現する押しボタンの内部又は近傍に配設され、媒体と各アンテナとの間の交信により、押しボタンを押す操作と同等の入力操作を可能としたことを特徴とする。
【００１３】
媒体とアンテナとの間の交信による入力操作が可能であると共に、押しボタンによる入力操作も可能なので、非接触型のＩＣカード等の媒体を持たない人も本発明の自動販売機を利用して商品を購入することができる。
【００１４】
請求項４では、請求項１又は２記載の自動販売機において、入力操作を実現する押しボタンの表示を行なう表示器を備え、複数のアンテナは、表示器の表示画面上に配設され、媒体と各アンテナとの間の交信により、押しボタンを押す操作と同等の入力操作を可能としたことを特徴とする。
【００１５】
表示器の表示画面上にアンテナを複数配設することで、送信信号を発生する媒体の位置を精度良く検出することができ、利用者が入力操作を所望する押しボタンを検出することができる。
表示器にアンテナを備えて一体化することで、自動販売機の小型化を図ることができる。
例えば、タッチパネルを備えた表示器を用いて透明電極によりアンテナを構成してもよい。
【００１６】
請求項５では、請求項１又は２記載の自動販売機において、入力操作を実現する押しボタンの表示を行なう表示器を備え、複数のアンテナは、表示器の表示画面の周囲に配設され、各アンテナの受信信号の検出レベルに基づいて、媒体保持者が入力操作を所望する押しボタンを検出するようにしたことを特徴とする。
【００１７】
表示器の表示画面の周囲にアンテナを複数配設することで、アンテナを表示器に外付けして送信信号を発生する媒体の位置を検出することができ、利用者が入力操作を所望する（媒体近傍の）押しボタンを検出することができる。
表示器にアンテナを備えて一体化することで、自動販売機の小型化を図ることができる。
【００１８】
【発明の実施の形態】
以下、本発明の実施形態を添付図面に基づいて説明する。
図１は、本発明の自動販売機１の簡易ブロック構成図である。
【００１９】
この自動販売機１は、タッチパネル付きの表示器２を備え、ＩＣカード等の媒体（不図示）を非接触で近接させることにより媒体と交信する複数のアンテナ３ａ〜３ｆを配設してある。表示器２はＣＲＴ又はＬＣＤ等で構成される。
アンテナ３ａ〜３ｆは、タッチパネル内の透明電極により構成されている。
【００２０】
ＩＣカード等の媒体は、媒体保持者のＩＤや残額等の個人データを示す特殊な電磁波をアンテナ３ａ〜３ｆに送信する。
媒体からの送信信号を受信した何れかのアンテナは、受信信号を送受信回路６に供給する。
送受信回路６は、媒体からの送信信号を受信したアンテナを特定し、その受信アンテナ（の位置）を示すデータ、すなわち媒体保持者により入力操作が為された押しボタンを示すデータを制御回路７に供給する。
また、送受信回路６は、受信した個人データを制御回路７に供給する。
【００２１】
制御回路７は、受信アンテナを示すデータ（入力操作された押しボタンを示すデータ）に基づいて、商品の選択、確認等の入力操作を検出する。
制御回路７は、ＣＰＵとＲＯＭとＲＡＭとを備えて構成され、自動販売機１の全体の制御を司る。ＲＯＭには各種制御プログラムが格納されており、ＣＰＵは制御プログラムを実行する。
【００２２】
例えば、制御回路７は、アンテナ３ａ（押しボタン２Ａ）を示すデータを送受信回路６から供給されると、商品Ａ（例えばカレーパン）が媒体保持者により選択されたことを検出する。
例えば、制御回路７は、アンテナ３ｂ（押しボタン２Ｂ）を示すデータを送受信回路６から供給されると、商品Ｂ（例えばアンパン）が媒体保持者により選択されたことを検出する。
例えば、制御回路７は、アンテナ３ｃ（押しボタン２Ｃ）を示すデータを送受信回路６から供給されると、商品Ｃ（例えばジャムパン）が媒体保持者により選択されたことを検出する。
【００２３】
例えば、制御回路７は、アンテナ３ｄ（押しボタン２Ｄ）を示すデータを送受信回路６から供給されると、先に選択された商品Ａ〜Ｃは媒体保持者によりその商品選択が取り消されたことを検出する。
例えば、制御回路７は、アンテナ３ｅ（押しボタン２Ｅ）を示すデータを送受信回路６から供給されると、媒体保持者が自動販売機１を利用する意思があることを検出する。
例えば、制御回路７は、アンテナ３ｆ（押しボタン２Ｆ）を示すデータを送受信回路６から供給されると、先に選択された商品Ａ〜Ｃは媒体保持者によりその商品選択が確認されたことを検出する。
【００２４】
制御回路７は、表示器２の表示を制御し、表示器２は入力操作を実現する押しボタン２Ａ〜２Ｆを表示する。押しボタン２Ａ〜２Ｆの表示領域内にアンテナ３ａ〜３ｆが位置する構成としている。
制御回路７は、アクチュエータ８を制御して、自動販売機１の取出口に商品Ａ〜Ｃを排出する。
【００２５】
図２は、本発明の別実施形態に係る自動販売機１１の簡易ブロック構成図である。
自動販売機１１では、図１の自動販売機１のアンテナ３ａ〜３ｆに代えて、アンテナ４ａ〜４ｆを用いている。
自動販売機１１では、押しボタン２Ａ〜２Ｆの表示領域を覆うようにアンテナ４ａ〜４ｆが位置する構成としており、その他の構成は自動販売機１と同様である。アンテナ４ａ〜４ｆは、タッチパネル内の透明電極により構成されている。
【００２６】
図３は、本発明の別実施形態に係る自動販売機２１の簡易ブロック構成図である。
この自動販売機２１は、表示器２０を備え、ＩＣカード等の媒体を非接触で近接させることにより媒体と交信する複数のアンテナ５ａ〜５ｈを配設してある。
アンテナ５ａ〜５ｈは、表示画面２０Ｚの周囲のフレームに取り付けてある。
【００２７】
ＩＣカード等の媒体は、媒体保持者のＩＤや残額などの個人データを示す特殊な電磁波をアンテナ５ａ〜５ｈに送信する。
媒体からの送信信号を受信した何れかのアンテナは、受信信号を送受信回路６０に供給する。
送受信回路６０は、各アンテナ５ａ〜５ｈの受信信号の検出レベルに基づいて、媒体に最も近い押しボタン（の位置）を示すデータを制御回路７０に供給する。
また、送受信回路６０は、受信した個人データを制御回路７０に供給する。
【００２８】
制御回路７０は、媒体に最も近い押しボタンを示すデータに基づいて、商品の選択、確認等の入力操作を検出する。
制御回路７０は、ＣＰＵとＲＯＭとＲＡＭとを備えて構成され、自動販売機２１の全体の制御を司る。ＲＯＭには各種制御プログラムが格納されており、ＣＰＵは制御プログラムを実行する。
【００２９】
例えば、制御回路７０は、押しボタン２Ａを示すデータを送受信回路６０から供給されると、商品Ａ（例えばカレーパン）が媒体保持者により選択されたことを検出する。
例えば、制御回路７０は、押しボタン２Ｂを示すデータを送受信回路６０から供給されると、商品Ｂ（例えばアンパン）が媒体保持者により選択されたことを検出する。
例えば、制御回路７０は、押しボタン２Ｃを示すデータを送受信回路６０から供給されると、商品Ｃ（例えばジャムパン）が媒体保持者により選択されたことを検出する。
【００３０】
例えば、制御回路７０は、押しボタン２Ｄを示すデータを送受信回路６０から供給されると、先に選択された商品Ａ〜Ｃは媒体保持者によりその選択が取り消されたことを検出する。
例えば、制御回路７０は、押しボタン２Ｅを示すデータを送受信回路６０から供給されると、媒体保持者が自動販売機２１を利用する意思があることを検出する。
例えば、制御回路７０は、押しボタン２Ｆを示すデータを送受信回路６０から供給されると、先に選択された商品Ａ〜Ｃは媒体保持者によりその選択が確認されたことを検出する。
【００３１】
制御回路７０は、表示器２０の表示を制御し、表示器２０は入力操作を実現する押しボタン２Ａ〜２Ｆを表示する。
制御回路７０は、アクチュエータ８を駆動制御して、自動販売機２１の取出口に商品Ａ〜Ｃを排出する。
【００３２】
図４は、本発明の自動販売機の動作を説明する簡易フローチャートである。
ステップＦ１では、自動販売機を利用しようとする媒体保持者を待つ。
制御回路７（又は制御回路７０）は、「開始」の押しボタン２Ｅに媒体が近接されるまで待つ。
「開始」の押しボタン２Ｅに媒体が近接されると、送受信回路６（又は送受信回路６０）は、押しボタン２Ｅを示すデータを制御回路７に供給すると共に、媒体からの送信信号からセキュリティチェック用の個人データと、媒体に記憶された残額を示すデータと、を制御回路７に供給する。
【００３３】
ステップＦ２では、媒体の正当性を検査して変造等のセキュリティチェックを行なうと共に、媒体に記憶された残額と自動販売機の商品の最低額とを比較する。
媒体がセキュリティチェックを通過して残額が商品の最低額以上の場合は、ステップＦ４に進む。
媒体がセキュリティチェックを通過しない場合、又は残額が商品の最低額よりも小さい場合は、ステップＦ３に進み、その旨を示すエラー表示を表示器２は（制御回路７からの指示により）一定時間行ない、制御回路７は処理を終了する。
【００３４】
ステップＦ４では、残額で購入可能な商品の押しボタンを表示器２は（制御回路７からの指示により）表示する。
例えば、商品Ａが２００円で、商品Ｂが１５０円で、商品Ｃが１２０円で、残額が１５０円の場合は、商品Ａ，Ｂの押しボタン２Ａ，２Ｂと、押しボタン２Ｄ，２Ｅ，２Ｆの表示を行なう。商品Ｃの押しボタン２Ｃの表示は行なわない。
【００３５】
ステップＦ５では、媒体保持者により商品が選択されるのを待つ。
媒体が押しボタン２Ａ〜２Ｃに近接されたことを検出すると、近接された押しボタンを表示器２は（制御回路７からの指示により）点滅表示し、ステップＦ６に進む。
【００３６】
ステップＦ６では、媒体保持者により商品選択が取り消されたか否かを判断する。
「取消」の押しボタン２Ｄに媒体が近接されたことを検出した場合は、制御回路７は処理を終了する。
「取消」の押しボタン２Ｄに媒体が近接されたことを検出しない場合は、ステップＦ７に進む。
【００３７】
ステップＦ７では、媒体保持者により商品選択が確認されたか否かを判断する。
「確認」の押しボタン２Ｆに媒体が近接されたことを検出しない場合は、ステップＦ５に戻る。
「確認」の押しボタン２Ｆに媒体が近接されたことを検出した場合は、ステップＦ８に進む。
【００３８】
ステップＦ８では、支払い処理を行ない、選択された商品の排出を行なう。
制御回路７はアンテナ３ｆ（若しくはアンテナ４ｆ，５ｆ）又は全アンテナ３ａ〜３ｆ（若しくは全アンテナ４ａ〜４ｆ，５ａ〜５ｈ）を用いて、媒体に記憶されていた残額から選択商品の価格を差し引いた額を、媒体に記憶させる。また、ネットワークを用いて銀行の媒体保持者の預金残高から選択商品の価格を差し引く。
制御回路７は、アクチュエータ８を駆動制御して、商品を取出口に排出する。
【００３９】
図５は、本発明の自動販売機の動作について、他の一例を説明する簡易フローチャートである。
ステップＦ１１では、自動販売機を利用しようとする媒体保持者を待つ。
制御回路７は、「商品Ａ〜Ｃ」の押しボタン２Ａ〜２Ｃに媒体が近接されるまで待つ。
「商品Ａ〜Ｃ」の押しボタン２Ａ〜２Ｃの何れかに媒体が近接されると、送受信回路６は、近接された押しボタンを示すデータを制御回路７に供給すると共に、媒体からの送信信号からセキュリティチェック用の個人データと、媒体に記憶された残額を示すデータと、を制御回路７に供給する。
【００４０】
ステップＦ１２では、媒体の正当性を検査して変造等のセキュリティチェックを行なうと共に、媒体に記憶された残額と自動販売機の商品の最低額とを比較する。
媒体がセキュリティチェックを通過して残額が商品の最低額以上の場合は、ステップＦ１４に進む。
媒体がセキュリティチェックを通過しない場合、又は残額が商品の最低額よりも小さい場合は、ステップＦ１３に進み、その旨を示すエラー表示を表示器２は（制御回路７からの指示により）一定時間行ない、制御回路７は処理を終了する。
【００４１】
ステップＦ１４では、残額で購入可能な商品の押しボタンを表示器２は（制御回路７からの指示により）表示する。
例えば、商品Ａが２００円で、商品Ｂが１５０円で、商品Ｃが１２０円で、残額が１５０円の場合は、商品Ａ，Ｂの押しボタン２Ａ，２Ｂと、押しボタン２Ｄ，２Ｅ，２Ｆの表示を行なう。商品Ｃの押しボタン２Ｃの表示は行なわない。
【００４２】
ステップＦ１５では、媒体保持者により商品が選択されるのを待つ。
媒体が押しボタン２Ａ〜２Ｃに近接されたことを検出すると、近接された押しボタンを制御回路７は一時記憶すると共に、近接された押しボタンを表示器２は（制御回路７からの指示により）点滅表示し、ステップＦ１６に進む。
ステップＦ１６では、タイマを始動して、時間ｔをカウント開始する。
【００４３】
ステップＦ１７では、媒体保持者により商品選択が取り消されたか否かを判断する。
「取消」の押しボタン２Ｄに媒体が近接されたことを検出した場合は、制御回路７は処理を終了する。
「取消」の押しボタン２Ｄに媒体が近接されたことを検出しない場合は、ステップＦ１８に進む。
【００４４】
ステップＦ１８では、媒体が移動したか否かを判断する。
これは、媒体保持者が他の商品を選択し直した場合や、商品選択を少し後になって取り消した場合に対応するためである。
制御回路７で一時記憶されている押しボタンとは別の他の押しボタンに媒体が近接された場合は、媒体が移動したと判断して、ステップＦ１５に戻る。
制御回路７で一時記憶されている押しボタンとは同一の押しボタンに媒体が近接されている場合は、媒体が移動していないと判断して、ステップＦ１９に進む。
【００４５】
ステップＦ１９では、タイマでカウントした時間ｔが、予め定めた一定時間ｔｍ以上か否かを判断する。
時間ｔが一定時間ｔｍ未満の場合は、ステップＦ１７に戻る。
時間ｔが一定時間ｔｍ以上の場合は、媒体保持者が商品選択を確認したものとして、ステップＦ２０に進む。
交信が一定時間ｔｍ以上継続することにより確認入力とすることで、確認入力の操作を別個に行なう手間が省けて操作性を向上することができる。
【００４６】
ステップＦ２０では、支払い処理を行ない、選択された商品の排出を行なう。
制御回路７はアンテナ３ａ〜３ｃを用いて、媒体に記憶されていた残額から選択商品の価格を差し引いた額を、媒体に記憶させる。また、ネットワークを用いて銀行の媒体保持者の預金残高から選択商品の価格を差し引く。
制御回路７は、アクチュエータ８を駆動制御して、商品を取出口に排出する。
【００４７】
図５のような動作を行なうことで、表示器２は「開始」と「確認」の押しボタン２Ｅ，２Ｆの表示スペースを削ることができ、商品の押しボタンの表示スペースを広げることができる。
販売する商品数が多く、「商品」の押しボタンが１画面に収らない場合は、「次画面」や「前画面」の押しボタンを表示して、次の画面にも「商品」の押しボタンを表示してもよい。
【００４８】
上記実施形態では、押しボタンの表示を行なう表示器を自動販売機に設ける構成としているが、従来の自動販売機のように入力操作を実現する押しボタンを設けて、その押しボタン内又はその近傍にアンテナを設置してもよい。
送受信回路はＬＳＩを備えて複雑な演算や処理を行なう構成としてもよい。
送受信回路と制御回路は一体に構成してもよい。
また、上記実施形態は本発明の一例であり、本発明は上記実施形態に限定されない。
【００４９】
【発明の効果】
請求項１の自動販売機によれば、利用者はＩＣカード等の媒体を手離すことなく、自動販売機の商品選択等の入力操作を行なうことができる。
従って、利用者は媒体を媒体用スロットに投入する手間が省けて操作性を向上することができると共に、操作時間を短縮することができる。
【００５０】
請求項２の自動販売機によれば、確認入力の操作を別個に行なう手間が省けて操作性を向上することができる。
【００５１】
請求項３の自動販売機によれば、媒体とアンテナとの間の交信による入力操作が可能であると共に、押しボタンによる入力操作が可能なので、非接触型のＩＣカード等の媒体を持たない人も本発明の自動販売機を利用して商品を購入することができる。
【００５２】
請求項４の自動販売機によれば、表示器の表示画面上にアンテナを複数配設することで、送信信号を発生する媒体の位置を精度良く検出することができ、利用者が入力操作を所望する押しボタンを検出することができる。
表示器にアンテナを備えて一体化することで、自動販売機の小型化を図ることができる。
【００５３】
請求項５の自動販売機によれば、表示器の表示画面の周囲にアンテナを複数配設することで、アンテナを表示器に外付けして送信信号を発生する媒体の位置を検出することができ、利用者が入力操作を所望する媒体近傍の押しボタンを検出することができる。
従って、各々のアンテナと押しボタン（の表示）との対応関係を１対１に固定しないので、表示画面での押しボタンの数や配置レイアウトを自由に可変とすることができる。
【図面の簡単な説明】
【図１】本発明の自動販売機の簡易ブロック構成図
【図２】本発明の別実施形態に係る自動販売機の簡易ブロック構成図
【図３】本発明の別実施形態に係る自動販売機の簡易ブロック構成図
【図４】本発明の自動販売機の動作を説明する簡易フローチャート
【図５】本発明の自動販売機の動作で別の一例を説明する簡易フローチャート
【符号の説明】
１，１１，２１…自動販売機
２，２０…表示器
２Ｚ，２０Ｚ…表示画面
３ａ〜３ｆ，４ａ〜４ｆ，５ａ〜５ｈ…アンテナ
６，６０…送受信回路
７，７０…制御回路
８…アクチュエータ
【図１】
0003746880.tif 000002
【図２】
0003746880.tif 000003
【図３】
0003746880.tif 000004
【図４】
0003746880.tif 000005
【図５】
0003746880.tif 000006